(57)【特許請求の範囲】
【請求項１】
合成樹脂フィルム、紙、不織布、織布の少なくとも１種以上からなるシート体と、接地体と当該カイロを保持する人である帯電体とが当該カイロを介して通電しやすいように前記シート体の最外層全面に渡り途切れない模様状に導電性物質を塗布して設けられて、当該カイロを前記接地体に近接または接触したときに前記帯電体の帯電電荷を前記接地体に通電し放電する静電気障害防止部材と、前記静電気障害防止部材を最外層に設けた前記シート体により一方面を構成した袋体と、前記袋体に収容した発熱剤と、を具備してなることを特徴とする静電気障害防止カイロ。
【請求項２】
前記静電気障害防止部材は、前記シート体表面に、導電性物質を含んでなる導電性インクにより設けてなることを特徴とする請求項１に記載の静電気障害防止カイロ。
【請求項３】
前記静電気障害防止剤は、前記シート体表面に、導電性インクを印刷により塗布してなることを特徴とする請求項１又は２に記載の静電気障害防止カイロ。
【請求項４】
前記静電気障害防止材は、前記シート体表面積の４５〜８５「％」の範囲に設けられていることを特徴とする請求項１から３の何れか一つに記載の静電気障害防止カイロ。
【発明の詳細な説明】
【０００１】
【発明の属する技術分野】
本発明は、発熱剤を収容したカイロであって、人体等に帯電した静電気を接地体（アース）へ接触させるなどして逃がすことにより帯電圧を下げ、静電気放電による電撃を人体等が受けることを防止する機能をもった静電気障害防止カイロに関するものである。
【０００２】
【従来の技術】
一般に、冬季やその他乾燥した季節になると、摩擦などによって静電気が発生して、家屋のドアノブや自動車のドアノブを素手で触ったときに帯電した静電気の放電による電撃を受けることがある。この原因は、人体と触れようとしたドアノブとの間に電位差があって、触れるか接近したときに起こる電気的放電現象により、短時間に両者の間に電流が流れて両者の電位差が中和することにある。
【０００３】
一方、使い捨てカイロは、特に冬季での利用が多く、季節的にも静電気障害が発生する時期と重なっている。従来のカイロは、酸化鉄などの空気との接触により酸化反応が開始し発熱する発熱剤を不織布等の袋材に収容したものが提供されている。
【０００４】
ところで、このような静電気による障害を防止する従来の技術は、種々のものが提供されている。
【０００５】
まず、第１の従来技術としては、静電気防止キーホルダーが挙げられる。
【０００６】
次に、第２の従来技術としては、実開昭５７−２１６５１号公報に記載されたものがある。この公報に記載された発明は、金属、含金属、金属メッキ、炭素、含炭素質の各種繊維等の如き導伝性繊維を極く少量分で混有せしめたフェルト、不織布、編地、織布とせる布綿体となし、上記布綿体の片側面に粘着性物質あるいは熱溶融性物質で粘着被膜を付与するように塗着してなる制電性接着布が挙げられる。
【０００７】
また、第３の従来技術としては、実開昭６２−１４８５１１号公報に記載されたものがある。この公報に記載の発明は、指先部分５〜５０［ｍｍ］を炭素繊維類、有機半導体加工繊維類の少なくとも１種からなる織編物で構成したことを特徴とする静電気障害防止手袋が挙げられる。
【０００８】
さらに、第４の従来技術としては、特開平１０−４６００１号公報に記載されたものがある。この公報に記載された発明は、アルキレンオキサイド基とエチレン系不飽和結合を有する単量体を構成成分として含むゴム幹重合体に、１種以上のエチレン系不飽和単量体をグラフト共重合して得られるグラフト共重合体から成る合成樹脂組成物を材料として構成され、１×１０５〜１×１０１３［Ω・ｃｍ］の範囲の体積固有抵抗率を有する静電気除去性を有する合成樹脂製成形体が挙げられる。
【０００９】
【発明が解決しようとする課題】
上述した第１の従来技術に係るキーホルダーは、その内部に高抵抗体を内蔵させる必要があるため、構造が複雑となり、かつ、コストが高いという欠点があった。
【００１０】
また、第２の従来技術に係る制電性接着布によれば、接着するだけで空気中に電荷を放出し、蓄積した静電気を減らすものであるが、静電気障害を完全に防止するには不十分であるという欠点があった。
【００１１】
さらに、第３の従来技術に係る静電気障害防止手袋によれば、炭素繊維類などの導電性繊維を用いたものであるため、加工がしにくく、かつ、繊維自体の強度がないため破れやすいなどの問題点があった。
【００１２】
加えて、第４の従来技術に係る静電気除去性を有する合成樹脂製成形体によれば、樹脂が高価であること、成形物であるため衣類等に貼付した際や携帯した際には違和感があることなどの問題点があった。また、従来のカイロは、静電気障害の発生しやすい時期によく使用されるものであるが、静電気障害防止機能を取り入れたものは存在しなかった。そこで本発明者らは、従来の静電気障害防止機能を持った物品の課題を解決すると同時にカイロはさほど大きいものではないため身につけていても違和感がないこと、及び発熱するため使用者に存在感を認識させる機能も併せ持つことに着目した本発明を完成させた。
【００１３】
すなわち、本発明は、上述した従来技術の欠点を解消し、通常のカイロとしての機能の他に、身につけていることを忘れないで、しかも、構造が簡単で、かつ低コストで、人体に帯電した静電気を接地体へ接触させるなどして逃がすことにより、帯電圧を下げて静電気による電撃を受けることを防止できる静電気障害防止カイロを提供することを目的としている。
【００１４】
【課題を解決するための手段】
上記目的を達成するために、請求項１に係る静電気障害防止カイロは、合成樹脂フィルム、紙、不織布、織布の少なくとも１種以上からなるシート体と、接地体と当該カイロを保持する人である帯電体とが当該カイロを介して通電しやすいように前記シート体の最外層全面に渡り途切れない模様状に導電性物質を塗布して設けられて、当該カイロを前記接地体に近接または接触したときに前記帯電体の帯電電荷を前記接地体に通電し放電する静電気障害防止部材と、前記静電気障害防止部材を最外層に設けた前記シート体により一方面を構成した袋体と、前記袋体に収容した発熱剤と、を具備している。
【００１５】
請求項１記載の発明によれば、通常のカイロとしての機能の他に、人体に帯電した静電気を接地体へ逃がし静電気放電による電撃から人体をまもることができる。
【００１６】
請求項２記載の発明では、請求項１において、前記静電気障害防止部材は、前記シート体表面に、導電性物質を含んでなる導電性インクにより設けてなることを特徴とするものである。
【００１７】
請求項３記載の発明では、請求項１又は２において、前記静電気障害防止材は、前記シート体表面に、導電性インクを印刷により塗布してなることを特徴とするものである。
【００１８】
請求項４記載の発明では、請求項１、２又は３において、前記静電気障害防止材は、前記シート体表面の４５〜１００［％］の範囲に設けられていることを特徴とするものである。
【００１９】
【発明の実施の形態】
以下、本発明の実施の形態について図面を参照して詳細に説明するが、本発明は当該実施の形態に限定されるものではない。
【００２０】
図１は本発明の実施の形態に係る静電気障害防止カイロを示す断面図である。この図１において、本発明の実施の形態における静電気障害防止カイロ１は、合成樹脂フィルム、紙、不織布、織布の少なくとも１種以上からなるシート体２と、当該シート体２に導電性物質３を塗布して設けられ接地体に近接または接触したときに帯電電荷を通電し放電する静電気障害防止部材４と、前記シート体２を少なくとも一部に用いた偏平袋形状をした袋材５と、当該袋材５に収容してなる発熱剤６とを具備したものである。
【００２１】
この袋材５の一方の面は、ナイロン不織布に、カーボンブラックやチタンやステンレスなどの導電性物質３を含有する導電性インク７をグラビア印刷機を用いて印刷した通気性を調整した不織布８を最外層に用い、その内側に低密度ポリエチレン（ＬＤＰＥ）に微細孔を設けたフィルム９を積層し、さらにその内側に熱融着性の良い直鎖状低密度ポリエチレン（Ｌ／ＬＤＰＥ）からなる微細孔を設けたフィルム１０を積層して形成されたシート体２ａにより構成されている。
【００２２】
また、前記袋材５の他方の面は、最外層に基材層となる低密度ポリエチレンフィルム１１用い、その内側に熱融着性のよい直鎖状ポリエチレンフィルム１２を積層してなるシート体２ｂにより構成されている。この本発明の実施の形態では、静電気障害防止材４として導電性インク７を印刷した不織布８を用いているが、フィルム９及びフィルム１１に導電性インク７を直接印刷して両面に静電気障害防止材４を設けてもよい。
【００２３】
この静電気障害防止カイロ１に用いられる導電性物質３としては、上述のとおりカーボンブラックやチタンやステンレスなどを用いたが、これに限定されることなく、シート体２に塗布することができるものであればなんでもよい。好ましくは、溶剤に導電性のある金属、金属含有物質、炭素、炭素含有物質などを混合したものが用いられる。さらに好ましくは、炭素含有物質としてカーボンブラックを溶剤に混合したものや、金属含有物質としてアルミナを溶剤に含有させたものを用いればよい。なお、導電性物質の他に顔料や添加剤を加えることもできる。
【００２４】
この実施の形態に係る静電気障害防止カイロ１に用いられる導電性物質３の形態としては、導電性インク７を用いるのが好ましい。
【００２５】
この実施の形態に係る静電気障害防止カイロ１で用いられる導電性インク７をシート体２に塗布する方法としては、導電性インク７を噴霧し塗布することもできるが、好ましくは、印刷技術を利用して塗布することがよい。印刷する技術としては、特に制限はなく、凸版印刷、グラビア印刷などが用いられる。
【００２６】
導電性物質３をシート体２の表面に設ける割合は、好ましくは、４５［％］〜１００［％］の範囲に設定する。４５［％］以下であると、接地体と静電気障害防止材、及び静電気障害防止材と帯電体（人体等）との接触可能性が減少するため、接地体に接触させる回数を増やすなどの処置を必要としわずらわしいからである。さらに好ましくは、６０［％］〜８５［％］の範囲に設定すると放電状態が安定する。８５［％］を超えて設けた場合には、接触可能性は１００［％］の時とさほど変わらないため、導電性インク７が無駄に使用されることになり経済的でないからである。
【００２７】
導電性物質３をシート体２に設ける量としては、塗布された厚みまたは、印刷技術を利用するには版深により表わすことができる。または、単位面積当たりの塗布重量で表すことができる。塗布された厚みもしくは版深としては、好ましくは、０．０５［μｍ］〜２００［μｍ］程度にするとよい。０．０５［μｍ］未満にすると、導電性インク７が途中でとぎれ通電しない場合があるからである。また、２００［μｍ］を超えると、通電性は変化しないため厚みを増やしても経済的でないからである。
【００２８】
一方、単位面積当たりの導電性物質の塗布重量（ｇ／ｍ２ ）の場合、好ましくは、０．５［ｇ／ｍ２ ］〜３０［ｇ／ｍ２ ］がよい。０．５［ｇ／ｍ２ ］未満であると、導電性インクが途中でとぎれ通電しない場合があるからである。また、３０［ｇ／ｍ２ ］を超えると通電性はあまり変化しないため塗布量を増やしても経済的でない。
【００２９】
この実施の形態に係る静電気障害防止カイロ１に用いられる導電性インク７をシート体２に印刷するパターンとしては、接地体と帯電体（人体）が通電しやすいようにシート体全面に渡り途切れない模様が好ましい。例えば、格子模様、波線模様、直線模様などが挙げられる。シート体２の表面の全体にわたって格子模様で設けると、接地体と帯電体の接触可能性が高いためさらに好ましい。
【００３０】
この実施の形態に係る静電気障害防止カイロ１に用いられる発熱剤６としては、特に制限はないが、空気中の酸素と容易に反応し、この反応の際に発熱するものであればよく、例えば還元鉄粉、アトマイズ鉄粉、いもの鉄粉等が挙げられる。
【００３１】
ここで、カイロとしての使用を考慮して、適宜、発熱助剤、電解質溶液を添加するのが好ましく、発熱助剤としては、活性炭を用いるのが好ましい。活性炭としては、ヤシガラ活性炭、木粉炭、石炭、暦青炭、泥炭、コークス炭等が挙げられる。
【００３２】
また、シリカ、バーミキュライト、吸水性ポリマー、木粉等の保水剤を加えてもよい。
【００３３】
また、吸水性ポリマーとしては、ポリアクリル酸ソーダ、ポリアクリル酸塩架橋物、ポリビニルアルコール、ポリビニルピロリドン、アラビアゴム、架橋ポリアルキレンオキシド、水溶性セルロースエーテル、ポリ−Ｎ−ビニルアセトアミド、ヒドロキシエチルセルロース、メチルセルロース、アルギン酸ソーダ、ペクチン、アクリルスルホン酸系高分子物質、ゼラチン、ポリエチレンオキサイド、カルボキシメチルセルロース等が挙げられる。
【００３４】
また、電解質溶液としては、塩化ナトリウム、塩化カリウム、塩化カルシウム、塩化マグネシウム等の水溶液が挙げられる。
【００３５】
この実施の形態に係る静電気障害防止カイロ１に用いられる発熱剤６を収容する袋材５としては、空気中の酸素と反応して発熱する発熱剤６を使用する際には、通気性の調整されたものが好ましい。なお、袋材５であるので、成形物に比べ人体に装着・携行するには柔軟性があるため違和感なくもてるという利点もあり、柔軟性があると接地放電式にあっては、ドアノブ等と静電気障害防止部材との接触可能性を高めることができる。
【００３６】
この袋材５を形成するものとして、既に説明したように、合成樹脂フィルム、紙、不織布、織布などから構成したシート体２を袋形状に形成したものが用いられる。
【００３７】
前記シート体２を形成するにあたっては、発熱剤が通気性を必要とするものにあっては紙、不織布、織布などは通気性を有するものが多いため問題ないが、合成樹脂フィルムは、そのままでは一般的に通気性が低い。この通気性の悪いのを防止するには、フィルムに通気性を付与するようにすればよく、延伸および／又は可溶性充填剤の抽出あるいは極細針による穿孔等の方法により通気性を発現するようにしたものが用いられる。具体的には、例えばポリエチレン、ポリプロピレン、セロファン、ポリエステル、ポリアミド、ポリビニルアルコール、ポリ塩化ビニル、ポリ塩化ビニリデン、ポリウレタン、ポリスチレン、エチレン−酢酸ビニル共重合体、ポリカーボネート、塩酸ゴム等が挙げられるが、これらのうちポリオレフィン系樹脂製のものが延伸等により、均質な通気性フィルムが得られるから好ましい。このポリオレフィン系樹脂としては、ポリエチレン、ポリプロピレン、ポリブタジエンなどのホモポリマー、あるいはコポリマー、またはこれらのブレンドポリマーが挙げられるが、特にポリプロピレン（ＰＰ）、高密度ポリエチレン（ＨＤＰＥ）、線状低密度ポリエチレン（Ｌ／ＬＤＰＥ）が上述の観点より好ましい。
【００３８】
これら合成樹脂フィルム、織布、不織布を少なくとも１種のシート体２を用いればよいが、好ましくは、不織布と通気性の付与された合成樹脂フィルムを積層してなるシート体２がよい。
【００３９】
次に、上記のように構成された静電気障害防止カイロの作用について説明する。
【００４０】
静電気を帯電した人が、当該静電気障害防止カイロ１の一端を持ち、静電気障害防止カイロ１の他端を接地体に近接または接触することで、人体帯電圧を下げることができる。
【００４１】
通常、人体帯電圧が３０００〔Ｖ〕以下であれば、痛みを感じる程の電撃を人体が受けることはなくなり、静電気障害をほぼ完全に防止することができる。
【００４２】
なお、本発明の実施の形態では、人体帯電圧を３０００〔Ｖ〕以下に下げることを必須の条件とするものではなく、静電気による電撃を受け難くすることが達成されればよい。ここでは、本発明の実施の形態に係る静電気障害防止カイロ１は、静電気障害防止効果の目安として、好ましくは帯電圧を４０００〔Ｖ〕以下に、さらに好ましくは３０００〔Ｖ〕以下に下げることにある。
【００４３】
【実施例】
［第１の実施例ないし第８の実施例］
次に、上記実施の形態に係る静電気障害防止カイロ１について具体的に、表１に示す条件で第１の実施例ないし第８の実施例を作成し、静電気障害防止効果について検証してみた。
【００４４】
また、これら第１の実施例ないし第８の実施例においては、発熱剤４としては、鉄粉２８．３［ｇ］、活性炭３．５［ｇ］、バーミキュライト７．１［ｇ］、水１２．７［ｇ］、塩化ナトリウム１．４［ｇ］を混合し調製したものを用いた。
【００４５】
静電気障害防止部材４として、導電性インク７の種類、印刷の版の深さ、導電性物質３の濃淡、印刷面積の割合、模様については表１の通りとした。なお、第１の実施例ないし第８の実施例において袋材５の静電気障害防止部材４設けた面の通気度は、ガーレー式通気度測定器による値が１４．５［秒］／８００［ｃｃ］であり、カイロとしては、縦×横が１３５［ｍｍ］×１００［ｍｍ］の寸法のものを使用した。
【００４６】
［第１の比較例および第２の比較例］
また、本発明の効果をより明確にするため第１の比較例および第２の比較例を作成し、これらと第１の実施例ないし第８の実施例との比較を行った。
【００４７】
これら第１の比較例および第２の比較例に係るカイロは、静電気障害防止部材４を設けず、導電性物質３を含有しないインクを塗布した以外は、第１の実施例ないし第８の実施例と同様にして作成した。
【００４８】
これら第１の比較例および第２の比較例に係るカイロと、第１の実施例ないし第８の実施例の静電気障害防止カイロ１の条件をまとめて表１に記入した。
【００４９】
【表１】
0004630426.tif 000002
なお、図３ないし図７は不織布８に導電性インク７で印刷した形状を示している。ここで、図３は静電気障害防止部材４として不織布８の上に導電性インク７で非常に細かい格子１６を印刷したもので、印刷の割合が８１．６［％］のものである。図４は静電気障害防止部材４として不織布８の上に導電性インク７でやや粗い格子１７を印刷したもので、印刷の割合が６９．４［％］のものである。図５は静電気障害防止部材４として不織布８の上に導電性インク７で相当粗い格子１８を印刷したもので、印刷の割合が５２．３［％］のものである。図６は静電気障害防止部材４として不織布８の上に導電性インク７でさらに粗い格子１９を印刷したもので、印刷の割合が４１・９［％］のものである。図７は静電気障害防止部材４として不織布８の上に導電性インク７で一番粗い格子２０を印刷したもので、印刷の割合が１９．０［％］のものである。なお、印刷の版の深さ、印刷の濃淡については表１に示すとおりである。
【００５０】
上記したとおり作成した第１の実施例ない第８の実施例に記載した静電気障害防止カイロ１と、第１の比較例および第２の比較例に係るカイロとを用いて、人体に帯電した静電気による障害を防止する試験を図２に示す試験装置２１により次のように行った。なお、この試験は、ＪＩＳ  Ｌ  １０２３「繊維製床敷物の性能に関する試験方法」を利用した。
【００５１】
まず、試験に使用する試験装置について説明する。この試験において使用する試験装置２１は、図２に示すように、グランドレベル２２の上に配置した絶縁板２３と、この絶縁板２３の上に配置したカーペット２４と、グランドレベル上に設けた作業台２５と、作業台２５の上に配置した絶縁シート２６と、絶縁シート２６上に配置した電極２７と、絶縁シート２６上で前記電極板２７に対向するプローブ２８と、プローブ２８に接続され作業台２５上に配置された電位計２９と、作業台２５の上に配置され電位計２９の測定結果を記録できる自動記録計３０と、前記電極２７に接続され先端に人体帯電圧測定用プローブ３１を有するリード線３２とから構成されている。
【００５２】
また、この試験装置２１の絶縁板２３の近辺には、アースした金属ドアノブ３３が配置されている。
【００５３】
このような試験装置２１を用いて試験を次のようにして行なう。被験者が、図２のように、人体帯電圧測定用プローブ３１を持って、１００［％］ポリエステル製のカーペット２４の上で足踏みをする。すると、靴とカーペット間の摩擦により被験者は徐々に帯電してくる。
【００５４】
ここで、例えば３０００〔Ｖ〕以上に達したところで、足を止めて、第１の実施例ないし第８の実施例に記載した静電気障害防止カイロ１と、第１の比較例および第２の比較例に係るカイロをそれぞれ手に持ち、カイロを接地された金属ドアノブ３３に接触させ、その後、金属ドアノブ３３を素手でつかんだ時の電撃防止効果があるかを表２に記入した。
【００５５】
なお、第１の実施例と第１の比較例について、電圧の変化を図８に示す図に示した。図８（ａ）は第１の実施例に係る静電気障害防止カイロ１についての電圧の変化であり、図８（ｂ）は第１の比較例に係るカイロについての電圧の変化であり、それぞれ縦軸に人体帯電圧〔Ｖ〕を、横軸に時間（作業）をとったものである。
【００５６】
図８（ａ）では、歩行開始して所定の電圧６０００［Ｖ］になったところで歩行をやめ、静電気障害防止カイロ１を金属ドアノブ３３に接触させるとほぼゼロ［Ｖ］に移行することがわかる。これに対して、図８（ｂ）では、歩行開始して所定の電圧６０００［Ｖ］になったところで歩行をやめ、カイロを金属ドアノブ３３に接触させてもほとんど電圧が下がらず、かつ、人が金属ドアノブ３３に直接触れると一挙にゼロ［Ｖ］に移行することがわかる。
【００５７】
また、電撃防止効果については、それぞれのカイロを接地された金属ドアノブ３３へ接触させた後、接地された金属ドアノブ３３を素手でつかんでみた時の状態を観察し、静電気による電撃の受け方を次の通り評価した。
【００５８】
ここで、「◎」印は全く電撃を受けなかったことを示す。「○」印は電撃は受けず指先に軽い刺激があったことを示している。「×」印は強い電撃を受けたことを示している。
【００５９】
表２からも分かるように、第１の実施例ないし第８の実施例では、静電気障害防止カイロ１で金属ドアノブ３３に接触した後に、素手で金属ドアノブ３３に接触してもほぼ電撃を受けることがなかった。ただし、第６の実施例、第７の実施例および第８の実施例は、表２に示すように、静電気障害防止カイロ１を金属ドアノブ３３に接触させた後に、１５００〔Ｖ〕、１０００〔Ｖ〕および８００〔Ｖ〕の電圧が残っていたが、その後に金属ドアノブ３３に直接手を接触させると、電圧に応じて「○」、「○」および「◎」の評価となった。
【００６０】
これに対して、第１の比較例および第２の比較例に記載したカイロでは、表２及び図８（ｂ）に示すとおり、金属ドアノブ３３に接触しても人体帯電圧は下がらず、その後に直接指で金属ドアノブ３３を触れた瞬間、指に強い電撃を受けた。したがって、評価としては、全て「×」となった。
【００６１】
【表２】
0004630426.tif 000003
上記表２のように第１の実施例ないし第５の実施例、および第８の実施例の静電気障害防止カイロ１を用いた方は、人体に帯電した静電気を効果的に除電し、接地体へ静電気障害防止カイロ１を接触させた際には、静電気を接地体へ逃がし、人体へ電撃を与えるということがなかった。
【００６２】
また、第６の実施例において、静電気障害防止部材４を設けるために、導電性インク７で印刷した割合が４１・９［％］の格子１９を印刷したものであっても、表２の第４の実施例の試験結果からも理解できるようにに十分に電撃を防止することができることから、この導電性インク７による印刷は前記シート体２の表面の４５［％］〜８０［％］の範囲に設けられていれば十分に実用になることが理解できる。
【００６３】
これら実施例からもわかるように、本発明の各実施例における静電気障害防止カイロ１は、通常のカイロとしての機能の他に、簡単な構成で、しかも低コストで人体に帯電した静電気を接地体へ接触させて逃がすことにより帯電圧を下げ、静電気放電による電撃を人体が受けることを防止することができる。
【００６４】
【発明の効果】
以上説明したように本発明によれば、通常のカイロとしての機能の他に、簡単な構成で、しかも低コストで人体に帯電した静電気を接地体へ接触させるなどして逃がすことにより、帯電圧を下げ、静電気放電による電撃を人体が受けることを防止できる効果がある。
【図面の簡単な説明】
【図１】本発明の実施の形態に係る静電気障害防止カイロを示す断面図である。
【図２】本発明の実施例において、人体に帯電した静電気による障害を防止する試験を行なうための試験装置を示す図である。
【図３】本発明の第１の実施例であって、不織布の上に導電性インクで非常に細かい格子を印刷したもので、印刷の割合が８１．６［％］のものを示す平面図である。
【図４】本発明の実施例において静電気障害防止部材として不織布の上に導電性インクでやや粗い格子を印刷したもので、印刷の割合が６９．４［％］のものを示す平面図である。
【図５】本発明の実施例において静電気障害防止部材として不織布の上に導電性インクで相当粗い格子を印刷したもので、印刷の割合が５２．３［％］のものを示す平面図である。
【図６】本発明の実施例において静電気障害防止部材として不織布の上にさらに粗い格子を印刷したもので、印刷の割合が４１・９［％］のものを示す平面図である。
【図７】本発明のの実施例において静電気障害防止部材として不織布の上に導電性インクで一番粗く格子を印刷したもので、印刷の割合が１９．０［％］のものを示す平面図である。
【図８】本発明の第１の実施例と第１の比較例による電圧の変化を示す図である。
【符号の説明】
１  静電気障害防止カイロ
２，２ａ，２ｂ  シート体
３  導電性物質
４  静電気障害防止部材
５  袋材
６  発熱剤
７  導電性インク
８  不織布
９  ＬＤＰＥフィルム
１０  Ｌ／ＬＤＰＥフィルム
１１  Ｌ／ＬＤＰＥフィルム
１２  ＬＤＰＥフィルム
１６，１７，１８，１９，２０  格子
２１  試験装置
２３  絶縁板
２４  カーペット
２５  作業台
２６  絶縁シート
２７  電極
２８  プローブ
２９  電位計
３１  人体帯電圧測定用プローブ
３２  リード線
３３  金属ドアノブ
【図１】
0004630426.tif 000004
【図２】
0004630426.tif 000005
【図３】
0004630426.tif 000006
【図４】
0004630426.tif 000007
【図５】
0004630426.tif 000008
【図６】
0004630426.tif 000009
【図７】
0004630426.tif 000010
【図８】
0004630426.tif 000011